(57)【要約】【課題】従来のインターネットを利用して写真のプリントを注文する場合に、モニターに表示された画像情報をプリントボックスに格納し、その格納された画像情報をプリント指示操作でプリント注文する。しかしプリントボックスにプリントすべき情報がない場合にはモニター上で画像情報が格納されていないことを積極的に表示されていないので注文可能なのか、または画像が保管されているのか不明であった。【解決手段】本発明ではプリントボックスにプリントすべき情報が格納されていない場合にはモニターに最新保管した情報を表示するとか、広告を表示するとか、表示を点滅表示させてその旨を報知する。【選択図】図３
2008268609.tif 000002
【特許請求の範囲】
【請求項１】
写真、プリント用紙、シール媒体にプリント可能な画像、文字等の情報を、蓄積可能な電子記憶媒体に保管する保管手段と、前記保管手段により保管された前記情報を観察可能なモニターと、前記保管された前記情報をプリントの注文したい時にプリントボックスに格納する格納手段と、前記格納された前記情報を、プリンタ装置にインターネットを介して伝送する伝送手段とを備え、前記プリントボックスに前記信号が格納されていないときは、前記モニターに特定の画像を表示するプリント注文装置。
【請求項２】
前記シール媒体は、名前がプリントされる名前シール、メッセージ等のメモがプリントされるメモシール、写真がプリントされる写真シールを含む請求項１に記載のプリント注文装置。
【請求項３】
前記特定の画像は広告である請求項１または請求項２に記載のプリント注文装置。
【請求項４】
前記特定の画像は最新に保管した画像である請求項１または請求項２に記載のプリント注文装置。
【請求項５】
前記特定の画像が点滅表示を行う請求項１、請求項２、請求項３、または請求項４に記載のプリント注文装置。
【発明の詳細な説明】
【技術分野】
【０００１】
本発明は、写真、シール等をプリントの注文を行うことが出来るプリント注文装置に関する。
【背景技術】
【０００２】
従来のインターネットを利用してプリントを注文する装置で、モニター上の画像駒でプリントしたい画像駒をプリントボックスにドラッグアンドドロップ式に移動させ、プリントボックスにある画像をインターネットで注文を行っている（非特許文献１）。
【０００３】
【非特許文献１】プリアホームページ
【発明の開示】
【発明が解決しようとする課題】
【０００４】
以上に述べた従来のプリント注文装置では、画面上のプリントボックスにプリントしたい画像が保管されていない時は、プリントボックスに画像が保管されていないのは分ったとしても画像が何もモニター等で積極的に表示されていないので注文可能なのか、または画像が保管されているのか不明であった。
【０００５】
本発明は、このような従来の構成が有していた問題を解決しようとするものであり、プリントボックスにプリントの注文締切り後、並びに注文する画像等が保管されていない時にモニターにその旨を積極的に表示するものである。
【課題を解決するための手段】
【０００６】
本発明の請求項１は、  写真、プリント用紙、シール媒体にプリント可能な画像、文字等の情報を、蓄積可能な電子記憶媒体に保管する保管手段と、前記保管手段により保管された前記情報を観察可能なモニターと、前記保管された前記情報をプリントの注文したい時にプリントボックスに格納する格納手段と、前記格納された前記情報を、プリンタ装置にインターネットを介して伝送する伝送手段とを備え、前記プリントボックスに前記信号が格納されていないときは、前記モニターに特定の画像を表示するプリント注文装置を提供するものである。
【０００７】
本発明の請求項２は、請求項１に従属で、前記シール媒体は、名前がプリントされる名前シール、メッセージ等のメモがプリントされるメモシール、写真がプリントされる写真シールを含むプリント注文装置を提供することにある。
【０００８】
本発明の請求項３は、請求項１または請求項２に従属で、前記特定の画像は広告であるプリント注文装置を提供することにある。
【０００９】
本発明の請求項４は、請求項１または請求項２に従属で前記特定の画像は最新に保管した画像であるプリント注文装置を提供するものである。
【００１０】
本発明の請求項５は、請求項１、請求項２、請求項３、または請求項４に従属で前記特定の画像が点滅表示するプリント注文装置を提供するものである。
【発明の効果】
【００１１】
上述したように、本発明のプリント注文装置では、画面上のプリントを注文する画像を保管するプリントボックスに画像が保管されていない時に特定の画像、例えば最近に保管された画像、または広告等を表示し、または表示が点滅するなど、その旨を積極的に表示している。実施例では３つの要素しか記述していないが、それに限らず単数・複数であってもよい。
【発明を実施するための最良の形態】
【００１２】
以下、本発明の実施の形態を図１〜図３に基づいて説明する。
【００１３】
図１は本発明のモニターの概略図を示し、１はモニターを示し、２Ａは名前を記載した名前シールを作成するための情報、２Ｂはメッセージ等のメモシールを作成するための情報、２Ｃは写真シールを作成するための情報を保管する保管手段を示す。保管手段２Ａ、２Ｂ、２Ｃをクリックするとそれらの保管手段に保管された情報がモニター１に表示される。モニター１に表示された情報をドラッグアンドドロップ等の操作によりプリントしたい情報をそれぞれ名前シール用プリントボックス３Ａ、メモシール用プリントボックス３Ｂ、写真シール用プリントボックス３Ｃに格納する。
【００１４】
図２は本発明の実施の形態を示すブロック図である。
４で示す制御手段にはモニター１、保管手段２Ａ、２Ｂ、２Ｃが接続され、プリントボックス３Ａ、３Ｂ、３Ｃが接続され、さらに５は保管手段Ａ、Ｂ、Ｃに保管された情報をプリントボックスＡ，Ｂ，Ｃに格納するためのプリントボックス格納手段を示す。さらに６で示す印刷を指示する印刷指示手段、７で示すプリントサーバーが不図示のインターネットを介して接続されている。８は広告画像を配信する広告サーバーである。
【００１５】
図３は本発明の実施形態を示し、制御手段４の内容を示すフローチャートを示す。
Ｓ０で注文をスタートし、Ｓ１で注文締切り内かどうかを検出し、Ｓ２で注文締切り外の場合は、プリントボックス３Ａ、３Ｂ、３Ｃに注文が出来ない表示とともに広告画像を表示する。Ｓ３でどのプリントボックス３Ａ、３Ｂ、３Ｃにも情報が保管されていないかどうかを検出し、Ｓ４で保管されていなければモニター１に最新の保管した情報を表示するや、広告を表示する。またはそれらの情報または広告を点滅させる。
Ｓ５ですべてのプリントボックスには情報がある場合はＳ６で示すようにどの商品も注文が可能となり、Ｓ７で示すようにもし情報のないプリントボックスの場合は注文ができないことになる。
【００１６】
本発明では、どのプリントボックスにも情報がない場合にはモニター１で最新の保管した情報を表示するとか、広告を表示するとか、表示を点滅させて、プリントボックスに情報がないことを表示し、プリント注文する際に無駄な注文動作を避けることが出来る。
【図面の簡単な説明】
【００１７】
【図１】本発明のモニター画面の概略図
【図２】本発明の実施形態を示すブロック図
【図３】本発明の実施形態を示すフローチャート
【符号の説明】
【００１８】
１                  モニター
２Ａ、２Ｂ、２Ｃ    保管手段
３Ａ、３Ｂ、３Ｃ    プリントボックス
４                  制御手段
５                  プリントボックス格納手段
６                  印刷指示手段
７                  プリントサーバー
８                  広告サーバー
【図１】
2008268609.tif 000003
【図２】
2008268609.tif 000004
【図３】
2008268609.tif 000005